(57)【要約】【課題】  米とぎ時に水の中に直接手を入れずに米とぎができ、また、とぎ汁の水切り時に米粒の流出を防ぐことを可能にする。【解決手段】とぎ部（４）の上部に、とぎ部止め具（１０）を設け、とぎ部止め具（１０）の上部に、網目部（３）、網目（５）、網目押さえ部（６）を設け、網目部（３）の上部に網目部止め具（９）を設け、取っ手部（２）とひっかけ具（１）を設けた。【選択図】図１
2013009930.tif 000002
【特許請求の範囲】
【請求項１】
とぎ部（４）の上部に、とぎ部止め具（１０）を設け、とぎ部止め具（１０）の上部に、網目部（３）、網目（５）、網目押さえ部（６）を設け、網目部（３）の上部に網目部止め具（９）を設け、取っ手部（２）とひっかけ具（１）を設けたことを特徴とする米とぎ器。
【発明の詳細な説明】
【技術分野】
【０００１】  従来、米をとぐとき、水切りを行うとき、水の中に手を入れてとぎ、その後、米がこぼれないように手を当てて、といだとぎ汁の水を切っているが、本発明では、この作業を水の中に手を入れないで米をとぎ、水切りができるように工夫した米とぎ器に関するものである。
【背景技術】
【０００２】  従来、米をといだり、とぎ汁の水切りは、炊飯釜に直接手を入れて行っているのが普通であった。【０００３】  また、実用新案登録第３１２１３４８号公報のように、籠状の攪拌器と籠状の攪拌器の中に米粒流出防止用の網を設け、米をとぐのと水切りの機能を有した米とぎ器があった。
【先行技術文献】
【０００４】
【特許文献１】  実用新案登録第３１２１３４８号公報
【発明の概要】
【発明が解決しようとする課題】
【０００５】  冷たい水の中に手を入れているために米とぎが上手にできなかった。
水切りを行うときに手を当てて行うが米粒流出を防ぐことができなかった。
手に傷や痛みを有し、米とぎができない、マニュキュア、あるいは、ネイルアートを施した手を水につけることにより、それらが剥がれてしまうなどの課題があった。【０００６】  特許文献によると、籠状の攪拌部とその中に水切り用の網状具が取り付けてあるため、とぐ機能と米粒流出止め機能が一体になる点は便利だが、米をといだあとの水きりとき、攪拌具の間から網状具を炊飯器にあて米粒流出防止を行うときの操作、そして、使用後の網状具洗いの操作にやりにくさがあった。
また、籠状の攪拌具、および網状具の取り付けが複雑であった。【０００７】  本発明の米とぎ器は、上記のように、従来の課題である米とぎ、水切りを水に手を入れることなく、そして、水切りも容易にでき、使用後の洗いも簡単にできることを目的にしたものである。
【課題を解決するための手段】
【０００８】  とぎ部（４）の上部に、とぎ部止め具（１０）を設け、とぎ部止め具（１０）の上部に、網目部（３）、網目（５）、網目押さえ部（６）を設け、網目部（３）の上部に網目部止め具（９）を設け、取っ手部（２）とひっかけ具（１）を設ける。
以上のように構成された米とぎ器である。
【発明の効果】
【０００９】  請求項１のように、本発明を用いれば、一つの米とぎ器で米をとぐこと、といだあとの水切りの両方を行うことができる。
また、冷たい水に手を入れることなく、マニキュア、ネイルアートなど手、指への装飾を傷めることなく、あるいは、手に傷や病みにより水の中に手を入れることができない場合でも米とぎ、水切りができる。【００１０】  とぎ部（４）はシリコン材を芯の部分は厚めの、もしくは、太めのものを短冊状にし、外側は芯よりは柔軟なのシリコン材、もしくは、細めのシリコン材を使用することにより攪拌しやすく、胚芽の欠落、あるいは、米への損傷を軽微にできる。
網目部（３）の網目一つの大きさは、米粒の大きさより小さい穴を有しているので米粒の流出を確実に防止できる。【００１１】  水切りを行うとき、その網目部（３）を炊飯器等の什器のとぎ汁流水口に当てることも、容易かつ確実に行うことができる。
この結果、水切りを確実に行えることにより、炊き上げ用に水を計量カップで追加する場合、とぎ汁の残りがないため、水の計量が正確に行える。
その結果として米をおいしく炊き上げることができる。【００１２】  本発明を用いれば、各部分の交換が容易にできる。
不使用時の格納場所のスペースが小さくてすむ。
インテリアとしての各部の色の組み合わせが自由になる。
【図面の簡単な説明】
【００１３】
【図１】  本発明の１実施例としての米とぎ器の正面図である。
【図２】  同とぎ器のとぎ部で、とぎ棒芯部分ととぎ棒外部の底面図である。
【図３】  同とぎ器の側面図である。
【発明を実施するための形態】
【００１４】  以下、本発明の実施例を、図面を参照しながら説明する。
全体像は、図１の正面図にあるように主として取っ手部（１）、網目部止め具（９）、網目部（３）、とぎ部止め具（１０）、とぎ部（４）を縦列に連結する。
なお、取っ手部（２）と網目押さえ部（６）は一体構造も可能である。
これらにより米をとぐ機能ととぎ汁の水切り機能が実現できる。
【００１５】  このように取っ手の取っ手部（１）、米粒流出防止の網目部（３）、とぐための刷毛状のとぎ部（４）が一列に連結することにより形状がシンプルで、使用する操作が容易である。
【００１６】  とぎ部（４）は、芯の部分であるとぎ棒芯部（８）ととぎ棒外部（７）で構成してある。
例として、とぎ部（４）のとぎ棒芯部（８）を厚め、もしくは、太めのシリコン材を短冊状にし、毛筆のように円状に複数巻き、その外側にとぎ棒芯部（８）より柔軟性のある、もしくは、細めの短冊状にしたシリコン材のとぎ棒外部（７）を毛筆のように円形に複数巻く。
【００１７】  とぎ棒の構成は、図２のとぎ部底面断面図に示すように、刷毛状に円形に束ねることで実現する。
こうすることにより、とぎ棒芯部（８）の強度が攪拌時に有効に働き、とぎ棒外部（７）が米粒に柔らかく当たり米粒の胚芽落ちや、米粒の損傷を防ぐことができる。
【００１８】  網目部（３）の網は、とぎ汁の水切りが良く、といだあとの米粒が流れないような細かさの網目（５）を用いる。
網目（５）は網目（５）の周辺を網目押さえ部（６）に固定し、図３にあるように網目全体の張りに余裕を持たせちょうど底の浅いお椀のような形を持たせる。
こうすることにより網目部（３）が水切り時炊飯器などの什器の口を網目押さえ部（６）が包む形になり米粒の流出を防ぐ効果を高める。
【００１９】  さらにこの米とぎ器は網目部（３）、とぎ部（４が）縦に一列に連結していることにより使用後の洗いが簡単である。
【００２０】  取っ手部（１）、網目部（３）、とぎ部（４）の各部を分離し、網目部（３）、とぎ部（４）を個別に使用することも可能である。
【００２１】  各部を分離することにより、各部に不具合が生じたときの交換。
収納スペースが狭い場所への格納がしやすくなる。
【００２２】  最近は、料理用具がキッチンのインテリアの一部にも使われ始めており、各部のカラーを用意すればキッチンのインテリアとしてカラーの選択ができ、見栄えを高めることもできる。
【産業上の利用可能性】
【００２３】  本発明品の米とぎ器を使用することにより、米をとぐ、水切りを行う作業を１つの道具で行うことができ、かつ水切りをするときに米流出を防ぐことができることで誰もが容易に米とぎ作業ができ、米に対する消費増加も期待できる。
また、キッチンのインテリア品として飾られることによりキッチン全体の見栄えも良く、料理に喜びをますことにもなる。
【符号の説明】
【００２４】１  ひっかけ具
２  取っ手部
３  網目部
４  とぎ部
５  網目
６  網目押さえ部
７  とぎ棒外部
８  とぎ棒芯部
９  網目部止め具
１０  とぎ部止め具
【図１】
2013009930.tif 000003
【図２】
2013009930.tif 000004
【図３】
2013009930.tif 000005